(57)【要約】      （修正有）【課題】雨傘の係止バックルの取り付け過程がより便利になるほぞ接ぎ構造の係止バックルを提供する。【解決手段】弾性バックル部品１及び支持傾斜挿入部２を含むほぞ接ぎ構造の係止バックルを備え、弾性バックル部品１の側壁には係止ブロック３が設けられており、係止ブロック３は中棒に係接されて中棒を通過して中棒の外壁から延出するものであり、弾性バックル部品１における、支持傾斜挿入部２に向かっている側にほぞ溝が設けられており、ほぞ溝が弾性バックル部品１の３つの側面を貫通し、支持傾斜挿入部２がほぞ溝内に凹凸マッチングして挿接されている。【選択図】図１
0003217598.tif 000002
【実用新案登録請求の範囲】
【請求項１】
ほぞ接ぎ係止バックルを含むほぞ接ぎ構造の係止バックルであって、
前記ほぞ接ぎ係止バックルは弾性バックル部品及び支持傾斜挿入部を含み、
前記弾性バックル部品の側壁には係止ブロックが設けられており、
前記係止ブロックは、中棒に係接されて中棒を通過して中棒の外壁から延出するものであり、前記弾性バックル部品における、支持傾斜挿入部に向かっている側には、ほぞ溝が設けられており、
前記支持傾斜挿入部は、前記ほぞ溝内に凹凸マッチングして挿接されていることを特徴とするほぞ接ぎ構造の係止バックル。
【請求項２】
前記ほぞ溝が弾性バックル部品の３つの側面を貫通して、開口が形成されることを特徴とする請求項１に記載のほぞ接ぎ構造の係止バックル。
【請求項３】
前記ほぞ溝の内壁には複数の位置決め楔溝が設けられており、
前記支持傾斜挿入部の側壁には位置決め楔ブロックが設けられており、
前記位置決め楔ブロックが、前記位置決め楔溝内に凹凸マッチングして係接されていることを特徴とする請求項１に記載のほぞ接ぎ構造の係止バックル。
【請求項４】
前記ほぞ溝の内壁には複数の位置決め楔ブロックが設けられており、
前記支持傾斜挿入部の側壁には位置決め楔溝が設けられており、
前記位置決め楔ブロックが前記位置決め楔溝内に凹凸マッチングして係接されていることを特徴とする請求項１に記載のほぞ接ぎ構造の係止バックル。
【請求項５】
前記支持傾斜挿入部における、前記弾性バックル部品から離れる側には押圧貫通溝が設けられ、
前記押圧貫通溝が、前記支持傾斜挿入部の下側面から上へ延伸し、前記位置決め楔溝または前記位置決め楔ブロックよりも高い位置まで延伸することを特徴とする請求項３または４に記載のほぞ接ぎ構造の係止バックル。
【請求項６】
前記位置決め楔ブロックにおける、前記弾性バックル部品に向かっている側には挿接斜面が設けられることを特徴とする請求項５に記載のほぞ接ぎ構造の係止バックル。
【請求項７】
前記弾性バックル部品における、支持傾斜挿入部と反対している側には、組付挿入ヘッドが設けられており、
前記組付挿入ヘッドの外壁には緩衝面が設けられており、
前記緩衝面が、支持傾斜挿入部側へ延伸しながら外側へ徐々に傾斜していくことを特徴とする請求項１に記載のほぞ接ぎ構造の係止バックル。
【請求項８】
前記支持傾斜挿入部における、弾性バックル部品に向かっている側には、組合挿入ヘッドが設けられており、
前記組合挿入ヘッドの幅は、ほぞ溝の下側の幅よりも小さいことを特徴とする請求項１に記載のほぞ接ぎ構造の係止バックル。
【考案の詳細な説明】
【技術分野】
【０００１】
本考案は、傘に関し、具体的に、ほぞ接ぎ構造の係止バックルに関する。
【背景技術】
【０００２】
現在、傘は、一般的に傘柄、中棒、下ろくろ、上ろくろ、傘の骨及び傘の布地を含む。中棒内にはバックル部品が取り付けられており、中棒の側壁に開口が設けられ、バックル部品は、開口から突出して開口に係接されて下ろくろの位置がロックされるために用いられる。雨傘の使用過程において、バックル部品を押すことにより雨傘の開閉が実現されるが、雨傘の組み立て過程において、バックル部品を中棒内に取り付けるプロセスが複雑で、取り付け効率が低くなり、大規模の生産過程においては加工の効率に影響を大きく与えている。
【考案の概要】
【考案が解決しようとする課題】
【０００３】
本考案は、既存技術の不足に対して、ほぞ接ぎ構造係止バックルを提供する。
【０００４】
上記の目的を実現するように、本考案は、以下の技術手段を提供している。
【課題を解決するための手段】
【０００５】
ほぞ接ぎ係止バックルを含むほぞ接ぎ構造の係止バックルであって、前記ほぞ接ぎ係止バックルは弾性バックル部品及び支持傾斜挿入部を含み、前記弾性バックル部品の側壁には係止ブロックが設けられており、前記係止ブロックは、中棒に係接されて中棒を通過して中棒の外壁から延出するものであり、前記弾性バックル部品における、支持傾斜挿入部に向かっている側にはほぞ溝が設けられており、前記支持傾斜挿入部は、ほぞ溝内に凹凸マッチングして挿接されている。
【０００６】
上記技術手段によれば、本考案は、ほぞ接ぎ係止バックルを着脱可能な構造に設置することにより、組み立ての過程において、先に弾性バックル部品を中棒内部に挿入し、弾性バックル部品にほぞ溝が設けられるため、ほぞ溝が押圧されて収縮されて、弾性バックル部品が中棒内に挿入されてなる。取り付けの過程にいて、係止ブロックが、常に中棒内壁により制限されるため、弾性バックル部品が常に収縮状態にあり、係止ブロックが中棒の開口位置まで摺動すると、弾性バックル部品が材料自身の弾力により回復されてほぞ溝が広がってから、支持傾斜挿入部を挿入して、支持傾斜挿入部がほぞ溝内に挿入されほぞ溝内壁に当接されていることにより、弾性バックル部品は力を受けて収縮することができなくなり、弾性バックル部品が力を受けて収縮して中棒から落ちることが回避され、組み付けの全体過程がより便利になる。
【０００７】
前記ほぞ溝が弾性バックル部品の３つの側面を貫通して、開口が形成されることが好ましい。
【０００８】
上記技術手段によれば、弾性バックル部品は、ほぞ溝が３つの側面を貫通していることにより、その収縮が容易になり、かつ、ひずみ量がより大きくなる。
【０００９】
前記ほぞ溝の内壁に複数の位置決め楔溝が設けられており、前記支持傾斜挿入部の側壁に位置決め楔ブロックが設けられており、前記位置決め楔ブロックが位置決め楔溝内に凹凸マッチングして係接されていることが好ましい。
【００１０】
前記ほぞ溝の内壁に複数の位置決め楔ブロックが設けられており、前記支持傾斜挿入部の側壁に位置決め楔溝が設けられており、前記位置決め楔ブロックが位置決め楔溝内に凹凸マッチングして係接されていることが好ましい。
【００１１】
上記技術手段によれば、位置決め楔ブロック及び位置決め楔溝の設置により、支持傾斜挿入部が弾性バックル部品内によりよく固定され、支持傾斜挿入部が落ちて支持効果がなくなることが回避される。
【００１２】
前記支持傾斜挿入部における、弾性バックル部品から離れる側には押圧貫通溝が設けられ、前記押圧貫通溝が、支持傾斜挿入部の下側面から上へ延伸し、位置決め楔溝または位置決め楔ブロックよりも高い位置まで延伸することが好ましい。
【００１３】
上記技術手段によれば、押圧貫通溝の設置により、支持傾斜挿入部を弾性バックル部品のほぞ溝内に挿接させる過程において、楔ブロックと弾性バックル部品または支持傾斜挿入部の側壁とが当接している過程において圧縮されて、支持傾斜挿入部の取り付けに弾性空間を与えて、弾性バックル部品または支持傾斜挿入部が、突出した楔ブロックに引っ掛かって取り付けができなくなることが回避される。
【００１４】
前記位置決め楔ブロックにおける、弾性バックル部品に向かっている側には、挿接斜面が設けられることが好ましい。
【００１５】
上記技術手段によれば、挿接斜面が引導及び押圧力伝達の作用を発揮しており、引導作用について、支持傾斜挿入部の挿接過程において傾斜挿入部の斜面によって、楔ブロックがほぞ溝の外側に引っ掛かることが防止できることを指す。押圧力伝達について、主に、挿接斜面が押圧力を受けて押圧貫通溝へ快速に伝達可能にして、支持傾斜挿入部を快速に収縮させて、斜挿入部を押圧する取り付けに便利を与える。
【００１６】
前記弾性バックル部品における、支持傾斜挿入部と反対している側には組付挿入ヘッドが設けられており、前記組付挿入ヘッドの外壁に緩衝面が設けられており、前記緩衝面が支持傾斜挿入部側へ延伸しながら外側へ徐々に傾斜して行くことが好ましい。
【００１７】
上記技術手段によれば、組付挿入ヘッドにおける緩衝面が、引導作用を発揮し、弾性バックル部品が中棒に挿入される過程において、弾性バックル部品先端の圧縮不可の部分は中棒内への取り付けに便利を与えることができ、弾性バックル部品の組み立てが便利になる。
【００１８】
前記支持傾斜挿入部における、弾性バックル部品に向かっている側には、組合挿入ヘッドが設けられており、前記組合挿入ヘッドの幅は、ほぞ溝の下側の幅よりも小さいことが好ましい。
【００１９】
上記技術手段によれば、組合挿入ヘッドは引導作用を発揮し、支持傾斜挿入部がほぞ溝内への挿入をより便利にして、支持傾斜挿入部の挿入過程において位置合わせが良くできていないことに起因する引っ掛かりが回避される。
【図面の簡単な説明】
【００２０】
【図１】本考案のほぞ接ぎ構造の係止バックルの構造を示す模式図である。
【図２】本考案における弾性バックル部品の構造を示す模式図である。
【図３】本考案における支持傾斜挿入部の構造を示す模式図である。
【考案を実施するための形態】
【００２１】
図１〜図３を参照しながら本考案にかかるほぞ接ぎ構造の係止バックルを更に詳しく説明する。
【００２２】
＜実施例一＞
ほぞ接ぎ係止バックルを含むほぞ接ぎ構造の係止バックルを提供し、当該ほぞ接ぎ係止バックルは、弾性バックル部品１及び支持傾斜挿入部２を含み、前記弾性バックル部品１の側壁には係止ブロック３が設けられており、前記係止ブロック３が中棒に係接され、中棒を通過して中棒の外壁へ延出している。前記弾性バックル部品１における、支持傾斜挿入部２に向かっている側には、ほぞ溝４が設けられる。前記支持傾斜挿入部２は、ほぞ溝４内に凹凸マッチングして挿接されている。
【００２３】
さらに、前記ほぞ溝４が弾性バックル部品１の３つの側面を貫通して、開口が形成されており、３つの側面のそれぞれは、支持傾斜挿入部に向かっている面、及び、係止ブロック３の所在している面に垂直する他の２つの側面であるように設置される。
【００２４】
さらに、前記ほぞ溝４の内壁にはいくつかの位置決め楔溝５が設けられており、前記支持傾斜挿入部２の側壁には位置決め楔ブロック６が設けられており、前記位置決め楔溝５は、三角形状の楔溝であり、前記三角形状の楔溝における、支持傾斜挿入部２の抜出方向に向かう方向の内壁は水平の係止面であり、他方の面は引導斜面であり、前記位置決め楔ブロック６が位置決め楔溝５内に係接されて凹凸マッチングするように設置される。
【００２５】
さらに、前記楔ブロックにおける、弾性バックル部品１に向かっている側には挿接斜面７が設けられるように、設置される。
【００２６】
さらに、前記支持傾斜挿入部２における、弾性バックル部品１から離れる側には押圧貫通溝８が設けられおり、前記押圧貫通溝８が支持傾斜挿入部２の下側面から上へ延伸し、位置決め楔溝５または位置決め楔ブロック６よりも高い位置まで延伸するように、設定される。
【００２７】
さらに、前記弾性バックル部品１における、支持傾斜挿入部２と反対している側には、組付挿入ヘッド９が設けられており、前記組付挿入ヘッドの外壁には緩衝面が設けられ、前記緩衝面が支持傾斜挿入部２側へ延伸し徐々に外側へ傾斜しており、前記組付挿入ヘッド９の先端には円弧状の天井面が設けられているように、設置される。
【００２８】
さらに、前記支持傾斜挿入部２における、弾性バックル部品１に向かっている側には、組合挿入ヘッド１０が設けられており、組合挿入ヘッド１０の幅はほぞ溝４の下側の幅よりも小さくなり、前記組合挿入ヘッド１０における、弾性バックル部品１に向かっている側には円弧状の天井面が設けられているように、設置される。
【００２９】
＜実施例ニ＞
前記ほぞ溝４の内壁には幾つかの位置決め楔ブロック６が設けられており、前記支持傾斜挿入部２の側壁には位置決め楔溝５が設けられており、位置決め楔溝５には前記位置決め楔ブロック６が凹凸マッチングして係接されるようにしてもよい。
【００３０】
上記の説明は本考案の好ましい実施形態に過ぎず、本考案の保護範囲が上記実施例に限らず、本考案の技術思想下の技術手段は、何れも本考案の保護範囲に該当すべきである。なお、当業者にとって本考案の原理を離脱しない前提で行われた若干改進や修飾などは、本考案の保護範囲に該当すると見なされるべきである。
【符号の説明】
【００３１】
１…弾性バックル部品
２…支持傾斜挿入部
３…係止ブロック
４…ほぞ溝
５…位置決め楔溝
６…位置決め楔ブロック
７…挿接斜面
８…押圧貫通溝
９…組付挿入ヘッド
10…組合挿入ヘッド
【図１】
0003217598.tif 000003
【図２】
0003217598.tif 000004
【図３】
0003217598.tif 000005